(57)【要約】【課題】運転時および停止時のいずれの状態においても意匠性が向上した空気調和装置を提供する。【解決手段】空気調和装置１は、空調対象空間の上方に配置される。空気調和装置１は、ケース２と、可動パネル３と、可動パネル移動機構４とを備えている。ケース２は、その下面において、少なくとも１個の通気口３４、３５を有する。可動パネル３は、通気口３４、３５を開閉する。可動パネル移動機構４は、可動パネル３を、通気口３４、３５を閉じる第１位置Ｉと、ケース２の内部におけるケース２の下面よりも上方の位置であって通気口３４、３５を開放する第２位置IIとの間を移動させる。【選択図】図３
2007292327.tif 000002
【特許請求の範囲】
【請求項１】
空調対象空間の上方に配置される空気調和装置（１、２１）であって、
下面において、少なくとも１個の通気口（３４、３５）を有するケース（２）と、
前記通気口（３４、３５）を開閉する可動パネル（３、１５、２３、２７）と、
前記可動パネル（３、１５、２３、２７）を、前記通気口（３４、３５）を閉じる第１位置と、前記ケース（２）の内部における前記ケース（２）の下面よりも上方の位置であって前記通気口（３４、３５）を開放する第２位置との間を、移動させる可動パネル移動機構（４、２４）と
を備えている空気調和装置（１、２１）。
【請求項２】
前記通気口（３４、３５）は、少なくとも１個の吸込口（３４）および／または吹出口（３５）である、
請求項１に記載の空気調和装置（１、２１）。
【請求項３】
前記通気口（３４、３５）は、少なくとも１個の吸込口（３４）および吹出口（３５）であり、
前記第２位置は、前記吸込口（３４）と前記吹出口（３５）との間の位置であり、
前記第２位置では、前記可動パネル（３、１５）は、前記ケース（２）の下面に対して上方へ傾斜した状態になる、
請求項２に記載の空気調和装置（１）。
【請求項４】
前記第２位置は、前記ケース（２）の下面を構成する下面パネル（３３）の上方の位置である、
請求項１または２に記載の空気調和装置（２１）。
【請求項５】
前記ケース（２）内部にドレンパン（７）をさらに備えており、
前記第２位置は、前記ドレンパン（７）の下方における位置である、
請求項１または２に記載の空気調和装置（２１）。
【請求項６】
前記可動パネル移動機構（４、２４）は、前記可動パネル（３，１５、２３、２７）を、前記第１位置と前記第２位置との間を、スライドさせて移動させる、
請求項１から５のいずれかに記載の空気調和装置（１、２１）。
【請求項７】
前記可動パネル（１５、２７）は、折り畳みすることが可能であり、
前記可動パネル（１５、２７）は、前記第１位置において広がった状態となり、前記第２位置において、折り畳まれた状態となる、
請求項１から６のいずれかに記載の空気調和装置（１、２１）。
【請求項８】
前記可動パネル（３、２３）は、少なくとも２つのパネル部分に分割可能であり、
前記可動パネル（３、２３）は、前記第１位置において少なくとも２つの前記パネル部分を合体した状態となり、前記第２位置において少なくとも２つの前記パネル部分に分割した状態となる、
請求項１から６のいずれかに記載の空気調和装置（１、２１）。
【請求項９】
前記通気口（３４、３５）は、前記ケース（２）の下面を構成する下面パネル（３３）の周囲のうちの前記下面パネル（３３）を挟んで対向する２カ所に配置されている、
請求項１から８のいずれかに記載の空気調和装置（１、２１）。
【請求項１０】
前記通気口（３４、３５）は、前記ケース（２）の下面を構成する下面パネル（３３）の周囲全体に配置されている、
請求項１から８のいずれかに記載の空気調和装置（１、２１）。
【発明の詳細な説明】
【技術分野】
【０００１】
本発明は、空気調和装置に関し、とくに空調対象空間の上方に配置される空気調和装置に関する。
【背景技術】
【０００２】
従来より、空調対象空間の上方に配置される空気調和装置として、吹出口および吸込口が天井面に沿うようにケース下面が平坦に構成された天井埋込型等の空気調和装置が知られている（特許文献１参照）。
このような天井埋込型の空気調和装置では、停止時において吹出口および吸込口を閉じる可動パネルを備え、停止時における空気調和装置の意匠性の向上を図ることが考えられている。この場合、可動パネルは、ケース下面付近の回転軸に回転自在に支持される。
【特許文献１】特許第２９８８３２９号公報
【発明の開示】
【発明が解決しようとする課題】
【０００３】
しかし、ケース下面付近の回転軸に可動パネルが回転自在に支持された空気調和装置の場合、運転時において可動パネルを開放したときに、可動パネルの大部分が天井面から下方へ突出した状態になるので、運転時における意匠性に問題がある。
本発明の課題は、運転時および停止時のいずれの状態においても意匠性が向上した空気調和装置を提供することにある。
【課題を解決するための手段】
【０００４】
第１発明に係る空気調和装置は、空調対象空間の上方に配置される空気調和装置である。空気調和装置は、ケースと、可動パネルと、可動パネル移動機構とを備えている。ケースは、その下面において、少なくとも１個の通気口を有する。可動パネルは、通気口を開閉する。可動パネル移動機構は、可動パネルを、通気口を閉じる第１位置と、ケースの内部におけるケースの下面よりも上方の位置であって通気口を開放する第２位置との間を、移動させる。
【０００５】
ここでは、空気調和装置の停止時においては、可動パネルは第１位置で通気口を閉じて空調対象空間から見えなくするので、空気調和装置のケースの下面を天井面と調和させることが可能である。また、空気調和装置の運転時においては、可動パネルがケース内部の収納位置である第２位置に移動するので、可動パネルがケースの下面から突出しなくなり、見栄えが良くなる。その結果、空気調和装置の運転時および停止時のいずれの状態においても、意匠性が向上する。
【０００６】
第２発明に係る空気調和装置は、第１発明に係る空気調和装置であって、通気口は、少なくとも１個の吸込口および／または吹出口である。
ここでは、通気口が少なくとも１個の吸込口および／または吹出口であるので、これらの吸込口および／または吹出口が可動パネルによって開閉されることによって、少なくとも１個の吸込口および／または吹出口を有している場合についても、空気調和装置の運転時および停止時のいずれの状態においても、意匠性が向上する。
【０００７】
第３発明に係る空気調和装置は、第２発明に係る空気調和装置であって、通気口は、少なくとも１個の吸込口および吹出口である。第２位置は、吸込口と吹出口との間の位置である。第２位置では、可動パネルは、ケースの下面に対して上方へ傾斜した状態になる。
ここでは、第２位置が吸込口と吹出口との間の位置であり、第２位置では、可動パネルは、ケースの下面に対して上方へ傾斜した状態になる。したがって、空気の吸込みおよび吹出しに干渉することなく、可動パネルをケース内部に収納することが可能である。
【０００８】
第４発明に係る空気調和装置は、第１発明または第２発明に係る空気調和装置であって、第２位置は、ケースの下面を構成する下面パネルの上方の位置である。
ここでは、第２位置がケースの下面を構成する下面パネルの上方の位置であるので、空気調和装置の運転時および停止時のいずれの状態においても意匠性が向上する。それとともに空気の吸込みおよび吹出しに干渉することなく、可動パネルをケース内部に収納することが可能である。
【０００９】
第５発明に係る空気調和装置は、第１発明または第２発明に係る空気調和装置であって、ケース内部にドレンパンをさらに備えている。第２位置は、ドレンパンの下方における位置である。
ここでは、第２位置がドレンパンの下方における位置であるので、空気の吸込みおよび吹出しに干渉することなく、可動パネルをケース内部に収納することが可能である。
【００１０】
第６発明に係る空気調和装置は、第１発明から第２発明のいずれかに係る空気調和装置であって、可動パネル移動機構は、可動パネルを、第１位置と第２位置との間を、スライドさせて移動させる。
ここでは、可動パネル移動機構が可動パネルを第１位置と第２位置との間をスライドさせて移動させるので、簡単な機構で可動パネルを第１位置と第２位置との間を確実に往復移動させることが可能である。
【００１１】
第７発明に係る空気調和装置は、第１発明から第６発明のいずれかに係る空気調和装置であって、可動パネルは、折り畳みすることが可能である。可動パネルは、第１位置において広がった状態となり、第２位置において折り畳まれた状態となる。
ここでは、可動パネルが折り畳みすることが可能であり、可動パネルが第１位置において広がった状態となり、第２位置において折り畳まれた状態となるので、広がった状態の可動パネルの幅が広い場合であっても、空気の吸込みおよび吹出しに干渉することなく、可動パネルをケース内部に収納することが可能である。
【００１２】
第８発明に係る空気調和装置は、第１発明から第６発明のいずれかに係る空気調和装置であって、可動パネルは、少なくとも２つのパネル部分に分割可能である。可動パネルは、第１位置において少なくとも２つのパネル部分を合体した状態となり、第２位置において少なくとも２つのパネル部分に分割した状態となる。
ここでは、可動パネルが少なくとも２つのパネル部分に分割可能であり、可動パネルが第１位置において少なくとも２つのパネル部分を合体した状態となり、第２位置において少なくとも２つのパネル部分に分割した状態となるので、合体した状態の可動パネルの幅が広い場合であっても、空気の吸込みおよび吹出しに干渉することなく、可動パネルをケース内部に収納することが可能である。
【００１３】
第９発明に係る空気調和装置は、第１発明から第８発明のいずれかに係る空気調和装置であって、通気口は、ケースの下面を構成する下面パネルの周囲のうちの下面パネルを挟んで対向する２カ所に配置されている。
ここでは、通気口がケースの下面を構成する下面パネルの周囲のうちの下面パネルを挟んで対向する２カ所に配置されているので、２方向から空気の吸込みおよび吹出しをそれぞれ行うことが可能になり、ドラフト感（風当たり感）を抑制して空調対象空間全体の冷房または暖房などの空気調和を行うことが可能になる。
【００１４】
第１０発明に係る空気調和装置は、第１発明から第８発明のいずれかに係る空気調和装置であって、通気口は、ケースの下面を構成する下面パネルの周囲全体に配置されている。
ここでは、通気口がケースの下面を構成する下面パネルの周囲全体に配置されているので、ドラフト感を抑制して空調対象空間全体の冷房または暖房などの空気調和を行うことが可能になる。
【発明の効果】
【００１５】
第１発明によれば、空気調和装置の運転時および停止時のいずれの状態においても、意匠性が向上する。
第２発明によれば、少なくとも１個の吸込口および／または吹出口を有している場合についても、空気調和装置の運転時および停止時のいずれの状態においても、意匠性が向上する。
【００１６】
第３発明によれば、空気の吸込みおよび吹出しに干渉することなく、可動パネルをケース内部に収納することができる。
第４発明によれば、空気調和装置の運転時および停止時のいずれの状態においても意匠性が向上するとともに、空気の吸込みおよび吹出しに干渉することなく、可動パネルをケース内部に収納することができる。
【００１７】
第５発明によれば、空気の吸込みおよび吹出しに干渉することなく、可動パネルをケース内部に収納することが可能できる。
第６発明によれば、簡単な機構で可動パネルを第１位置と第２位置との間を確実に往復移動させることができる。
第７発明によれば、広がった状態の可動パネルの幅が広い場合であっても、空気の吸込みおよび吹出しに干渉することなく、可動パネルをケース内部に収納することができる。
【００１８】
第８発明によれば、合体した状態の可動パネルの幅が広い場合であっても、空気の吸込みおよび吹出しに干渉することなく、可動パネルをケース内部に収納することができる。
第９発明によれば、ドラフト感（風当たり感）を抑制して空調対象空間全体の冷房または暖房などの空気調和を行うことができる。
第１０発明によれば、ドラフト感を抑制して空調対象空間全体の冷房または暖房などの空気調和を行うことができる。
【発明を実施するための最良の形態】
【００１９】
〔第１実施形態〕
＜空気調和装置１の基本構成＞
本発明の第１実施形態に係る天井設置型の空気調和装置１は、図１〜図４に示されるように、居室等の空調対象空間の上方における天井Ｃ（図３参照）に埋め込んだ状態で配置されている。空気調和装置１は、主として、ケース２と、可動パネル３と、可動パネル移動機構４（図４参照）と、送風ファン５と、熱交換器６と、ドレンパン７と、ベルマウス８とから構成されている。
【００２０】
ケース２は、例えば、空気調和装置１の概略側面断面を示す図３に示されるように、居室の天井Ｃに形成された開口に挿入されて配置されている。そして、ケース２の内部には、主として、居室内の空気をケース２内に吸入して外周方向に吹き出す送風ファン５と、送風ファン５の外周部を囲むように配置された熱交換器６とが配置されている。
図３に示される空気調和装置１では、ケース２は、天井Ｃの開口に嵌め込まれるように配置されている。なお、ケース２を天井Ｃの表面に吊り下げて配置してもよい。
【００２１】
ケース２の下面の中央には、図１〜図３に示すように、ケース２の下面を構成する平坦な下面パネルであるフラットパネル３３が配置されている。フラットパネル３３の両側には、居室内の空気を吸入する一対の吸込口３４が形成されている。さらに一対の吸込口３４の外側には、ケース２内から居室内に調和空気を吹き出す一対の吹出口３５が形成されている。吹出口３５には、調和空気が吹き出す角度を調節するフラップ４５が設けられている。
【００２２】
一対の可動パネル３は、それぞれ合成樹脂等で製造された平坦な板状部材であり、図１〜図３に示すように、フラットパネル３３の両側にそれぞれ配置されている。可動パネル３は、通気口である吸込口３４および吹出口３５を開閉する。可動パネル３は、後述する可動パネル移動機構４によって、図３に示されるように、吸込口３４および吹出口３５を閉じる第１位置Ｉと、吸込口３４および吹出口３５を開放する第２位置IIとの間を移動する。可動パネル３は、第１位置Ｉでは天井Ｃと平行になる。一方、可動パネル３は、第２位置IIではケース２の下面に対して上方へ傾斜した状態、好ましくは、ケース２の下面に対して垂直になる。
【００２３】
可動パネル３は、スライド部材１１に回転自在に連結されている。スライド部材１１は、ケース１の内部に設けられた支持部１２の溝１２ａに沿って上下に移動することが可能である。したがって、可動パネル３は、スライド部材１１の回り（矢印Ａ１方向またはその反対方向）に回転移動するとともにスライド部材１１とともに上下方向（矢印Ａ２方向またはその反対方向）に移動することが可能である。
【００２４】
送風ファン５は、ターボファン等の遠心ファンから構成されており。図３に示されるように、居室内の空気をケース２の吸込口３４を通じてケース２内に吸入し、吹出口３５から調和空気を吹き出す空気流れを生成する。吸込口３４から吸入された空気は、ベルマウス８および送風ファン５を通って熱交換器６に流れる。熱交換器６では、空気は、冷媒と熱交換されて冷却または加熱されて調和空気となる。その後、調和空気は、ケース２の内側面に沿って流れた後に吹出口３５から居室等の空調対象空間へ吹き出す。
熱交換器６の下側には、図３に示されるように、熱交換器６において空気中の水分が凝縮されて生じるドレン水を受けるためのドレンパン７が配置されている。
【００２５】
＜可動パネル移動機構４の構成＞
可動パネル移動機構４は、図４に示すように、可動パネル３を第１位置Ｉと第２位置II
との間を移動させる機構である。可動パネル移動機構４は、例えば、ステップモータ１３と、ステップモータ１３の駆動力を可動パネル３に伝達する駆動力伝達機構１４とから構成されている。駆動力伝達機構１４としては、例えば、ステップモータ１３の回転駆動力をスライド部材１１の往復駆動力へ変換して駆動力の伝達を行なうための機構、具体的には、ラックとピニオンとからなる機構、またはケーブルとプーリとからなる機構などが採用される。
【００２６】
可動パネル移動機構４は、空気調和装置１が運転開始のときには、可動パネル３を第１位置Ｉから第２位置IIへ移動させて、吸込口３４および吹出口３５を開放する。このとき、可動パネル３は、図３の矢印Ａ１方向への回転運動とともに矢印Ａ２方向（上方向）へののスライド運動をする。一方、空気調和装置１が運転停止のときには、可動パネル３は、第２位置IIから第１位置Ｉへ移動させて、吸込口３４および吹出口３５を閉じる。
【００２７】
＜第１実施形態の特徴＞
（１）
第１実施形態の天井埋込み型の空気調和装置１は、吸込口３４および吹出口３５を開閉する可動パネル３と、可動パネル３を、吸込口３４および吹出口３５を閉じる第１位置Ｉと、ケース２の内部におけるケース２の下面よりも上方の位置であって吸込口３４および吹出口３５を開放する第２位置IIとの間を移動させる可動パネル移動機構４とを備えている。
【００２８】
したがって、空気調和装置１の停止時においては、可動パネル３は第１位置Ｉで吸込口３４および吹出口３５を閉じて居室内から見えなくするので、空気調和装置１のケース２の下面を天井面と調和するオールフラットにすることが可能である。また、空気調和装置１の運転時においては、可動パネル３がケース２内部の収納位置（すなわち、第２位置II）に移動するので、可動パネル３がケース２の下面から突出しなくなり、見栄えが良くなる。その結果、空気調和装置１の運転時および停止時のいずれの状態においても、意匠性が向上する。
なお、可動パネル３をケース２内部に収納したときでも、意匠性を損なわない程度であれば、可動パネル３の一部がケースの外部に露出してもよい。
【００２９】
（２）
第１実施形態の空気調和装置１は、通気口として、少なくとも１個の吸込口３４および／または吹出口３５を有している。したがって、これらの吸込口３４および／または吹出口３５が可動パネル３によって開閉されることによって、少なくとも１個の吸込口３４および／または吹出口３５を有している場合についても、空気調和装置１の運転時および停止時のいずれの状態においても、意匠性が向上する。
なお、本発明では、第１実施形態のように左右一対の吸込口３４および吹出口の組だけでなく、吸込口３４または吹出口３５のいずれか一方のみの場合でも、可動パネル３によって良好に開閉することが可能である。
【００３０】
（３）
第１実施形態の空気調和装置１は、通気口として、少なくとも１個の吸込口３４および吹出口３５を有しており、第２位置IIは、吸込口３４と吹出口３５との間の位置であり、第２位置IIでは、可動パネル３は、ケース２の下面に対して上方へ傾斜した状態、好ましくは、ケース２の下面に対して垂直になる。したがって、空気の吸込みおよび吹出しに干渉することなく、可動パネル３をケース２内部に収納することが可能である。
【００３１】
（４）
第１実施形態の空気調和装置１では、可動パネル移動機構４は、可動パネル３を、第１位置Ｉと第２位置IIとの間をスライドさせて移動させるので、簡単な機構で可動パネル３を第１位置Ｉと第２位置IIとの間を確実に往復移動させることが可能である。
（５）
第１実施形態の空気調和装置１では、吸込口３４および吹出口３５は、ケース２の下面を構成するフラットパネル３３の周囲のうちのフラットパネル３３を挟んで対向する２カ所に配置されている（いわゆるダブルフローの配置である）ので、居室内の２方向から空気の吸込みおよび吹出しをそれぞれ行うことが可能になり、ドラフト感（風当たり感）を抑制して居室内全体の冷房または暖房などの空気調和を行うことが可能になる。
【００３２】
＜第１実施形態の変形例＞
（Ａ）
第１実施形態の空気調和装置１の可動パネル３は、折り畳むことができない単なる板状部材であるが、本発明はこれに限定されるものではない。
第１実施形態の変形例として、例えば、図５（ａ）、（ｂ）に示されるように、折り畳み可能な可動パネル１５を採用してもよい。この可動パネル１５は、第１位置Ｉにおいて広がった状態となり（図５（ａ）参照）、第２位置IIにおいて折り畳まれた状態（図５（ｂ）参照）となる。したがって、広がった状態の可動パネル１５の幅が広い場合であっても、空気の吸込みおよび吹出しに干渉することなく、可動パネル３をケース２内部に収納することが可能である。
【００３３】
可動パネル１５は、２枚のパネル部分１５ａ、１５ｂと、パネル部分１５ａ、１５ｂを互いに回転自在に連結する連結部１５ｃとを有している。また、一方のパネル部分１５ａには、スライド部材１１に回転自在に連結する連結部１５ｄが設けられている。また、パネル部分１５ａ、１５ｂの端部に設けられたピン１５ｅは、ケース２下面に対して平行に移動できるようにケース２の下面に支持されている。
【００３４】
図５（ａ）に示される可動パネル１５が第１位置Ｉにおいて吸込口３４および吹出口３５を閉じた状態から、第１実施形態と同様にスライド部材１１が上方向（矢印Ａ１方向）へ移動することにより、２枚のパネル部分１５ａ、１５ｂはそれぞれ折り畳まれる方向（すなわち、それぞれ矢印Ａ２方向、矢印Ａ３方向）へ回転し、図５（ｂ）に示される可動パネル１５が第１位置IIにおいて吸込口３４と吹出口３５と間で、可動パネル１５が垂直方向に折り畳まれた状態になる。その結果、空気の吸込みおよび吹出しに干渉することなく、可動パネル３をケース２内部に収納することが可能である。
【００３５】
（Ｂ）
また、第１実施形態の他の変形例として、例えば、図６（ａ）、（ｂ）に示されるように、折り畳み可能な可動パネル１５は、連結部１５ｄを介して、２枚のパネル部分１５ａ、１５ｂをスライド部材１１に回転自在に連結してもよい。この場合も、広がった状態の可動パネル１５の幅が広い場合であっても、空気の吸込みおよび吹出しに干渉することなく、可動パネル３をケース２内部に収納することが可能である。
【００３６】
（Ｃ）
また、第１実施形態のさらに他の変形例として、例えば、図７（ａ）〜（ｃ）に示されるように、折り畳み可能な可動パネル１５は、連結部１５ｄを介して、２枚のパネル部分１５ａ、１５ｂをスライド部材１１に回転自在に連結し、かつ、２枚のパネル部分１５ａ、１５ｂを上方向へ回転するようにしてもよい。
【００３７】
この場合、可動パネル１５を折り畳むときに、図７（ｂ）に示されるように、スライド部材１１を一旦下降（すなわち、矢印Ａ１１方向への移動）させながらパネル部分１５ａ、１５ｂをそれぞれ上方へ折り畳む（すなわち、矢印Ａ１２方向および矢印Ａ１３方向への回転）。そののち、図７（ｃ）に示されるように、折り畳まれた可動パネル１５を上方へ移動（すなわち、矢印Ａ１４方向への移動）させてケース２の内部に収納させる。
【００３８】
パネル部分１５ａ、１５ｂを上方へ折り畳む方法として、例えば、上記の可動パネル移動機構４がケーブルとプーリとからなる機構の場合には、スライド部材１１を上下に移動させるケーブルとは別に、パネル部分１５ａ、１５ｂを上方へ折り畳むケーブルを設けておけばよい。
以上のような上方へ折り畳まれる可動パネル１５を用いた場合でも、広がった状態の可動パネル１５の幅が広い場合であっても、空気の吸込みおよび吹出しに干渉することなく、可動パネル３をケース２内部に収納することが可能である。
【００３９】
（Ｄ）
また、第１実施形態のさらに他の変形例として、可動パネル３が少なくとも２つのパネル部分に分割可能であり、可動パネル３は、第１位置Ｉにおいて少なくとも２つのパネル部分を合体した状態となり、第２位置IIにおいて少なくとも２つのパネル部分に分割した状態となるようにしてもよい。
【００４０】
すなわち、可動パネル３は、第１位置Ｉでは合体した状態で吸込口３４および吹出口３５を閉じ、第２位置IIではパネル部分が分割して吸込口３４および吹出口３５を開放し、分割されたパネル部分は、ケース２の内部に収納される。
このように可動パネル３が分割可能な場合でも、合体した状態の可動パネル１５の幅が広い場合であっても、空気の吸込みおよび吹出しに干渉することなく、可動パネル３をケース２内部に収納することが可能である。
【００４１】
（Ｅ）
第１実施形態の空気調和装置１では、吸込口３４および吹出口３５は、ケース２の下面を構成するフラットパネル３３の周囲のうちのフラットパネル３３を挟んで対向する２カ所に配置されている、いわゆるダブルフローの配置が示されているが、本発明はこれに限定されるものではない。
【００４２】
第１実施形態のさらに他の変形例として、吹出口３５（あるいは、吸込口３４および吹出口３５の両方）がケース２の下面を構成するフラットパネル３３の周囲全体に配置されている、いわゆるラウンドフローの配置であってもよい。
この場合、居室内の全ての方向から空気の吸込みおよび吹出しをそれぞれ行うことが可能になり、ドラフト感（風当たり感）をさらに抑制して居室内全体の冷房または暖房などの空気調和を行うことが可能になる。
【００４３】
〔第２実施形態〕
本発明の第２実施形態に係る天井設置型の空気調和装置２１は、図８〜図１１に示されるように、第１実施形態の空気調和装置１と同様に、居室等の空調対象空間の上方における天井Ｃに埋め込んだ状態で配置され、空気調和装置２１は、主として、ケース２と、可動パネル２３と、可動パネル移動機構２４と、送風ファン５と、熱交換器６と、ドレンパン７と、ベルマウス８とから構成されている。
【００４４】
第２実施形態の空気調和装置２１では、可動パネル移動機構２４の駆動力によって、可動パネル２３がスライドしてフラットパネル３３の上方に収納される点で、第１実施形態の空気調和装置１と異なっている。
なお、ケース２、送風ファン５、熱交換器６、ドレンパン７、ベルマウス８その他の図１〜図４と同一符号の構成要素は、第１実施形態と同一のものが採用されるので、ここでは説明を省略する。
【００４５】
＜可動パネル２３の構成＞
一対の可動パネル２３は、それぞれ合成樹脂等で製造された平坦な板状部材であり、図８〜図１１に示されるように、フラットパネル３３の両側にそれぞれ配置されている。可動パネル２３は、通気口である吸込口３４および吹出口３５を開閉する。可動パネル２３は、後述する可動パネル移動機構２４によって、吸込口３４および吹出口３５を閉じる第１位置Ｉと、吸込口３４および吹出口３５を開放する第２位置IIとの間を移動する。可動パネル２３は、第１位置Ｉでは天井Ｃと平行になる。一方、可動パネル２３は、第２位置IIではフラットパネル３３の上方の位置になる。
【００４６】
可動パネル２３は、上面側に３本のスライドピン２５を有している。スライドピン２５は、ケース１の内部に設けられたレール２６に沿って水平方向に移動することが可能である。また、スライドピン２５は、レール２６内部で回転可能に支持されているので、可動パネル２３のスライドピン２５回りの回転も可能である。
レール２６は、吸込口３４の上方付近からフラットパネル３３の上方にかけて水平方向に延びている。さらに詳しく言えば、レール２６は、フラットパネル３３の上方に向かうにつれて若干斜め上方に延びている。
したがって、可動パネル２３は、スライドピン２５の回りに少し回転するとともにスライドピン２５とともに水平方向に移動して、フラットパネル３３の上方へ移動することが可能である。
【００４７】
＜可動パネル移動機構２４の構成＞
可動パネル移動機構２４は、図４に示すように、可動パネル２３を第１位置Ｉと第２位置IIとの間を移動させる機構である。可動パネル移動機構２４は、例えば、ステップモータ１３と、ステップモータ１３の駆動力を可動パネル２３に伝達する駆動力伝達機構１４ととから構成されている。駆動力伝達機構１４としては、例えば、ステップモータ１３の回転駆動力をスライドピン２５の往復駆動力へ変換して駆動力の伝達を行なうための機構として、ラックとピニオンとからなる機構、またはケーブルとプーリとからなる機構などが採用される。
【００４８】
可動パネル移動機構２４は、空気調和装置２１が運転開始のときには、可動パネル２３を第１位置Ｉから第２位置IIへ移動させて、吸込口３４および吹出口３５を開放する。このとき、可動パネル２３は、スライドピン２５回りの若干の回転運動とともにスライド運動をする。一方、空気調和装置２１が運転停止のときには、可動パネル２３は、第２位置IIから第１位置Ｉへ移動させて、吸込口３４および吹出口３５を閉じる。
【００４９】
＜第２実施形態の特徴＞
（１）
第２実施形態の空気調和装置２１では、可動パネル移動機構２４の駆動力によって、可動パネル２３がスライドしてフラットパネル３３の上方に収納される。すなわち、第２位置IIは、ケース２の下面を構成するフラットパネル３３の上方の位置になっている。したがって、空気調和装置１の運転時および停止時のいずれの状態においても意匠性が向上する。それとともに空気の吸込みおよび吹出しに干渉することなく、可動パネル２３をケース２内部に収納することが可能である。
【００５０】
（２）
また、第２実施形態の空気調和装置２１では、可動パネル移動機構２４は、可動パネル２３を、第１位置Ｉと第２位置IIとの間をスライドさせて移動させるので、簡単な機構で可動パネル２３を第１位置Ｉと第２位置IIとの間を確実に往復移動させることが可能である。
【００５１】
（３）
第２実施形態の空気調和装置２１も、第１実施形態の空気調和装置１と同様に、通気口として、少なくとも１個の吸込口３４および／または吹出口３５を有している。したがって、これらの吸込口３４および／または吹出口３５が可動パネル２３によって開閉されることによって、少なくとも１個の吸込口３４および／または吹出口３５を有している場合についても、空気調和装置２１の運転時および停止時のいずれの状態においても、意匠性が向上する。
【００５２】
なお、本発明では、第２実施形態のように左右一対の吸込口３４および吹出口の組だけでなく、吸込口３４または吹出口３５のいずれか一方のみの場合でも、可動パネル２３によって良好に開閉することが可能である。
（４）
第２実施形態の空気調和装置２１も、第１実施形態の空気調和装置１と同様に、可動パネル移動機構２４は、可動パネル２３を、第１位置Ｉと第２位置IIとの間をスライドさせて移動させるので、簡単な機構で可動パネル２３を第１位置Ｉと第２位置IIとの間を確実に往復移動させることが可能である。
【００５３】
（５）
第２実施形態の空気調和装置２１も、第１実施形態の空気調和装置１と同様に、吸込口３４および吹出口３５は、ケース２の下面を構成するフラットパネル３３の周囲のうちのフラットパネル３３を挟んで対向する２カ所に配置されている（いわゆるダブルフローの配置である）ので、居室内の２方向から空気の吸込みおよび吹出しをそれぞれ行うことが可能になり、ドラフト感（風当たり感）を抑制して居室内全体の冷房または暖房などの空気調和を行うことが可能になる。
【００５４】
＜第２実施形態の変形例＞
（Ａ）
第２実施形態の空気調和装置２１では、可動パネル２３がスライドしてフラットパネル３３の上方に収納される例が示されているが、本発明はこれに限定されるものではない。
第２実施形態の変形例として、図１２に示されるように、可動パネル２７がスライドしてドレンパン７の下方に収納される形態、すなわち、第２位置Iがドレンパン７の下方における位置であってもよい。
この場合も、空気の吸込みおよび吹出しに干渉することなく、可動パネル２７をケース２内部に収納することが可能である。
なお、可動パネル２３をケース２内部に収納したときでも、意匠性を損なわない程度であれば、可動パネル２３の一部がケース２の外部に露出してもよい。
【００５５】
（Ｂ）
また、図１２に示されるように、可動パネル２７が折り畳み可能であってもよい。この場合、広がった状態の可動パネル２７の幅が広い場合であっても、空気の吸込みに干渉することなく、可動パネル２７をケース２内部に折り畳んだ状態で収納することが可能である。
【００５６】
（Ｃ）
さらに、第２実施形態のさらに他の変形例として、可動パネル２３が分割可能であってもよい。この場合、広がった状態の可動パネル２３の幅が広い場合であっても、空気の吸込みに干渉することなく、可動パネル２３をケース２内部に分割した状態で収納することが可能である。
【００５７】
（Ｄ）
第２実施形態のさらに他の変形例として、吹出口３５（あるいは、吸込口３４および吹出口３５の両方）がケース２の下面を構成するフラットパネル３３の周囲全体に配置されている、いわゆるラウンドフローの配置であってもよい。
この場合、居室内の全ての方向から空気の吸込みおよび吹出しをそれぞれ行うことが可能になり、ドラフト感（風当たり感）をさらに抑制して居室内全体の冷房または暖房などの空気調和を行うことが可能になる。
【産業上の利用可能性】
【００５８】
本発明は、ケース下面に吸込口または吹出口などの通気口を備えている天井設置型の空気調和装置であれば適用することが可能である。したがって、天井埋込み型だけでなく、天井吊下げ型の空気調和装置にも適用することが可能である。
【図面の簡単な説明】
【００５９】
【図１】本発明の第１実施形態に係る天井設置型の空気調和装置の外観斜視図。
【図２】図１の空気調和装置の可動パネルが開いた状態の外観斜視図。
【図３】図１の空気調和装置のケース内部の可動パネル付近の拡大断面図。
【図４】図１の空気調和装置の可動パネルを取り除いた状態を下から見た図。
【図５】本発明の第１実施形態の変形例である折畳み可能な可動パネルの動作説明図。
【図６】本発明の第１実施形態の他の変形例である折畳み可能な可動パネルの動作説明図。
【図７】本発明の第１実施形態のさらに他の変形例である折畳み可能な可動パネルの動作説明図。
【図８】本発明の第２実施形態に係る天井設置型の空気調和装置の外観斜視図。
【図９】図８の空気調和装置の可動パネルが開いた状態の外観斜視図。
【図１０】図８の空気調和装置のケース内部の可動パネル付近の拡大断面図。
【図１１】図８の空気調和装置の可動パネルを取り除いた状態を下から見た図。
【図１２】本発明の第２実施形態の変形例である折畳み可能な可動パネルの動作説明図。
【符号の説明】
【００６０】
１、２１  空気調和装置
２  ケース
３、１５、２３、２７  可動パネル
４、２４  可動パネル移動機構
７  ドレンパン
３３  フラットパネル
３４  吸込口
３５  吹出口
【図１】
2007292327.tif 000003
【図２】
2007292327.tif 000004
【図３】
2007292327.tif 000005
【図４】
2007292327.tif 000006
【図５】
2007292327.tif 000007
【図６】
2007292327.tif 000008
【図７】
2007292327.tif 000009
【図８】
2007292327.tif 000010
【図９】
2007292327.tif 000011
【図１０】
2007292327.tif 000012
【図１１】
2007292327.tif 000013
【図１２】
2007292327.tif 000014